(57)【要約】【課題】操作性及び視認性がよくユーザビリティに優れた酸素濃縮装置を提供すること。【解決手段】本発明の酸素濃縮装置１１は、酸素濃縮ガスの設定流量を表示する表示器として、流量設定手段を兼ねるタッチパネル付きディスプレイ１３を備える。この装置１１にはメイン画面Ｇ１と流量選択画面Ｇ２とが用意されている。メイン画面Ｇ１は、現在の設定流量を表示する流量表示部８１、現在の設定流量を増加または減少させるための流量増減用ボタン８２，８３及び画面切換用ボタン８４を有する。流量選択画面Ｇ２は、異なる設定流量ごとに設けた複数の流量選択用ボタン９１を有する。画面切換用ボタン８４がタッチ操作された場合、メイン画面Ｇ１に代えて流量選択画面Ｇ２がディスプレイ１３に表示される。【選択図】図６
2016127905.tif 000002
【特許請求の範囲】
【請求項１】
使用者に供給する酸素濃縮ガスの設定流量を表示する表示器を備えた酸素濃縮装置において、
前記表示器は、流量設定手段を兼ねるタッチパネル付きディスプレイであって、
現在の設定流量を表示する流量表示部、現在の設定流量を増加または減少させるための流量増減用ボタン及び画面切換用ボタンを有するメイン画面と、異なる設定流量ごとに設けた複数の流量選択用ボタンを有する流量選択画面とが用意され、
前記画面切換用ボタンがタッチ操作された場合に、前記メイン画面に代えて前記流量選択画面が前記ディスプレイに表示されるようにした
ことを特徴とする酸素濃縮装置。
【請求項２】
前記メイン画面には明るさ変更用ボタンが設けられ、前記明るさ変更用ボタンのタッチ操作により前記ディスプレイの明るさが変更可能とされていることを特徴とする請求項１に記載の酸素濃縮装置。
【請求項３】
異常を通知するアラーム画面が用意されるとともに、異常発生時であって、当該異常発生の直前における前記ディスプレイの明るさが第１の明るさよりも暗い場合には、前記ディスプレイの明るさが前記第１の明るさに自動変更され、かつ前記アラーム画面が表示されることを特徴とする請求項１または２に記載の酸素濃縮装置。
【請求項４】
スクリーンセーブ画面が用意されるとともに、前記ディスプレイに対するタッチ操作が所定時間を超えて行われない場合には、前記スクリーンセーブ画面が表示されるとともに、設定されている前記ディスプレイの明るさが第２の明るさよりも明るい場合には、前記ディスプレイの明るさが前記第２の明るさに自動変更されることを特徴とする請求項１乃至３のいずれか１項に記載の酸素濃縮装置。
【請求項５】
前記メイン画面には運転終了用ボタンが設けられ、運転終了の意思を確認する終了確認画面が用意され、前記運転終了用ボタンがタッチ操作された場合には、前記ディスプレイに前記終了確認画面を表示することを特徴とする請求項１乃至４のいずれか１項に記載の酸素濃縮装置。
【請求項６】
前記メイン画面には画面ロック用ボタンが設けられ、特定のボタンのタッチ操作を不能にするロック画面が用意され、前記画面ロック用ボタンがタッチ操作された場合には、前記ディスプレイに前記ロック画面を表示することを特徴とする請求項１乃至５のいずれか１項に記載の酸素濃縮装置。
【請求項７】
前記ロック画面には画面ロック解除用ボタンが設けられ、前記画面ロック解除用ボタンがタッチ操作された場合には、前記メイン画面を表示させることを特徴とする請求項６に記載の酸素濃縮装置。
【請求項８】
使用者が対処可能な異常が発生した場合、前記アラーム画面には、異常の内容及びその対処法がイラスト及び文字にて表示されることを特徴とする請求項３に記載の酸素濃縮装置。
【請求項９】
使用者が対処困難な異常が発生した場合、前記アラーム画面には、異常の内容及びその対処法がイラスト及び文字にて表示されるとともに、緊急連絡先が文字にて表示されることを特徴とする請求項３または８に記載の酸素濃縮装置。
【請求項１０】
前記アラーム画面には運転緊急終了用ボタンが設けられ、前記運転緊急終了用ボタンがタッチ操作された場合には、前記酸素濃縮装置の運転を終了させることを特徴とする請求項３、８、９のいずれか１項に記載の酸素濃縮装置。
【請求項１１】
内部電源を備えるとともに、前記アラーム画面として前記酸素濃縮装置の稼働中の停電発生を通知する停電用アラーム画面が用意され、前記酸素濃縮装置の稼働中に停電が発生した場合には、前記内部電源を用いて前記停電用アラーム画面を表示させることを特徴とする請求項３、８乃至１０のいずれか１項に記載の酸素濃縮装置。
【発明の詳細な説明】
【技術分野】
【０００１】
本発明は、酸素濃縮装置に関し、特には使用者である患者等に対して高濃度の酸素を供給する医療用途に好適な酸素濃縮装置に関するものである。
【背景技術】
【０００２】
医療用途で用いられる酸素濃縮装置として、従来、圧力変動吸着型の酸素濃縮装置が主流となっている。この種の装置は、一般的にコンプレッサ、吸着筒、切換弁、製品タンク、流量設定器等を備えている。コンプレッサでは原料空気が圧縮される。吸着筒では、吸着剤によって空気中の窒素が優先的に吸着され、酸素が分離される。切換弁は、吸着筒内を加圧状態または減圧状態に切り換える。製品タンクには、吸着筒を通過して濃縮された製品ガスが貯蔵される。流量設定器では、例えばダイヤルの回動操作により、製品タンクから圧力調節器を経て患者に供給する流量が調整される。この装置は、さらに、吸着筒の入口側または出口側に設けられた第１の圧力センサ、圧力調節器の下流側に設けられた第２の圧力センサ、生成された酸素濃縮ガスの酸素濃度を測定する酸素センサ等を備えている。そして、これらのセンサによって異常を検出したときには、警報ランプが点灯したり、警報ブザーが鳴ったりして、異常の発生を知らせるようになっている。
【０００３】
ところで、この種の装置の使用者である呼吸器系肺疾患患者の多くは高齢者であり、特に重度の患者に至っては、装置の異常は症状の悪化を伴うおそれがある。さらに、装置に異常が発生した場合、患者はパニック状態に陥りやすく、時間的にも心理的にも余裕がない。このため、どのような異常であり、どのように対処すべきかを簡単に正確に知らせることが必要となる。また、患者自身で容易に解決できる軽微な異常であったとしても、装置供給業者に連絡することが多く、対応の迅速性という点では考慮の余地がある。
【０００４】
そこで近年では、その対策として、警報ランプ等によって異常の箇所を表示したり、異常内容を表示したり、さらには対処方法を表示する技術がいくつか提案されている（特許文献１〜３参照）。また、装置に異常が発生した際に異常の程度などの必要な情報を速やかに使用者に伝えることができる改良技術として、異常のランク（緊急性）に応じて警報ランプの点灯の状態を変更するようにしたものも従来提案されている（特許文献４参照）。
【先行技術文献】
【特許文献】
【０００５】
【特許文献１】特開２０００−３１６９７５号公報
【特許文献２】特開２００１−４６５０４号公報
【特許文献３】特開２００１−９５９２０号公報
【特許文献４】特開２００６−６８５０３号公報
【発明の概要】
【発明が解決しようとする課題】
【０００６】
ところが、上記従来の酸素濃縮装置には以下のような欠点があった。例えば、流量変更のための手段としてダイヤルを備えた装置において、仮に設定流量を変更する場合には、ダイヤルにあらかじめ設定された目盛に合わせて正確に回動操作を行う必要があった。ゆえに、あらかじめ設定された目盛からずれた位置にダイヤルがセットされた場合には、意図しない流量の酸素濃縮ガスが使用者に供給されるおそれがあった。
【０００７】
また、異常発生時に警報ランプ等によって異常の箇所や内容を表示したとしても、患者がその表示に気付かないことがあり、異常に対して迅速に対応することが困難であった。なお、特許文献４の従来技術のように警報ランプの点灯状態を変更したとしても、そもそも警報ランプ自体がそれほど大きいものではないことから、視認性がよいとはいえず、患者にとって依然として表示がわかり難かった。
【０００８】
さらに、患者やその付添者が装置の終了ボタン等に誤って触れてしまった場合、装置が勝手に停止するおそれがあり、このような意図しない操作を未然に防ぐ必要があった。
【０００９】
以上のように従来の酸素濃縮装置はユーザビリティに優れたものとはいい難く、ユーザビリティの向上のためには操作性や視認性についての改良が不可欠であると考えられていた。
【００１０】
本発明は上記の課題に鑑みてなされたものであり、その目的は、操作性及び視認性がよくユーザビリティに優れた酸素濃縮装置を提供することにある。
【課題を解決するための手段】
【００１１】
そして上記課題を解決するための手段（手段１）としては、使用者に供給する酸素濃縮ガスの設定流量を表示する表示器を備えた酸素濃縮装置において、前記表示器は、流量設定手段を兼ねるタッチパネル付きディスプレイであって、現在の設定流量を表示する流量表示部、現在の設定流量を増加または減少させるための流量増減用ボタン及び画面切換用ボタンを有するメイン画面と、異なる設定流量ごとに設けた複数の流量選択用ボタンを有する流量選択画面とが用意され、前記画面切換用ボタンがタッチ操作された場合に、前記メイン画面に代えて前記流量選択画面が前記ディスプレイに表示されるようにしたことを特徴とする酸素濃縮装置、がある。
【００１２】
手段１に記載の発明によると、タッチパネル付きディスプレイを表示器として用いているため、例えばＬＥＤ等のランプ、７セグメントディスプレイ、ドットマトリクスディスプレイなどを表示器として用いた場合に比べて、比較的広範囲に多くの情報を提示することができ、そもそも視認性に優れている。また、ディスプレイの画面にタッチして操作することが可能なため、そもそも操作性に優れるばかりでなく、ディスプレイとは別に操作部を設ける必要がないため設置スペースの制約を受けにくい。しかも、流量設定に関して２種類の画面が用意されている本発明の場合、ディスプレイにメイン画面が表示されている通常時には、流量増減用ボタンに対するタッチ操作により、設定流量を徐々に増加または減少させることができる。また、設定流量を素早く変更したい場合には、画面切換用ボタンに対するタッチ操作により、メイン画面から流量選択画面に切り替えることができる。従って、異なる設定流量ごとに設けた複数の流量選択用ボタンのいずれかをタッチ操作することにより、所望とする設定流量に直ちに変更することができ、操作性が大幅に向上する。しかも、本発明によると、画面切換によってディスプレイにはメイン画面及び流量選択画面のうちの一方のみが表示される。それゆえ、流量増減用ボタンと複数の流量選択用ボタンとが混在せず、煩雑な表示とならないため、視認性及び操作性がともに向上する。
【００１３】
通常時にディスプレイに表示されるメイン画面には、上記の流量表示部に加えて流量増減用ボタン及び画面切換用ボタンが設けられているが、それら以外のボタンが設けられていてもよい。なお、ここでいう「ボタン」とは、画面内に出現して使用者にタッチ操作を促す特定領域（各種の画像、文字、記号など）のことを指しており、必ずしもボタンを模した画像のみに限定されるわけではない。また、ボタンのタッチ操作の前後で、ボタンの表示態様を若干変化させるようにしてもよく、具体的にはボタンの大きさ、色、明るさ、形などを変化させるようにしてもよい。このようにすると、ボタンがタッチ操作されたか否かを視覚を通じて認識しやすくなる。
【００１４】
例えば、メイン画面には明るさ変更用ボタンが設けられていてもよく、明るさ変更用ボタンのタッチ操作によりディスプレイの明るさが変更可能とされていてもよい。この構成であると、使用者の意思に応じて画面の明るさを変更することができる。
【００１５】
メイン画面のほかに、例えば、異常を通知するアラーム画面が用意されていてもよい。このようにすると、例えば警報ランプの点灯などにより異常を通知する従来のものとは異なり、使用者に対して異常の発生を確実に気付かせることができる。この場合、異常発生時であって、当該異常発生の直前におけるディスプレイの明るさが第１の明るさよりも暗い場合には、ディスプレイの明るさが第１の明るさに自動変更され、かつアラーム画面が表示されるようにしてもよい。この構成であると、異常発生時には画面が自動的に直前の明るさよりも明るくなることから、異常の発生を使用者に対してより確実に気付かせることができる。その結果、異常に対して迅速に対応することが可能となる。
【００１６】
ここで、アラーム画面は、１種類だけではなく異常の内容等に応じて複数種類用意されていることが好ましい。このようなアラーム画面の具体例としては、加湿器はずれ、チューブ折れ、稼働中の停電、各種の装置異常（電源異常、ガス圧低下、ガス圧過剰、酸素濃度低下、温度上昇、回転数異常など）等を知らせるためのアラーム画面を挙げることができる。
【００１７】
使用者が対処可能な異常（例えば、上記の加湿器はずれ、チューブ折れ、稼働中の停電等）が発生した場合、アラーム画面には、異常の内容及びその対処法がイラスト及び文字にて表示されるようにしてもよい。この構成によると、使用者が異常の内容及び対処法を容易に把握することができる。そのため、メンテナンス業者に連絡を入れるまでもなく、使用者自身で正しく迅速に対処することが可能となる。また、メンテナンス業者においても、連絡回数の低減が期待できることから、メンテナンス作業に要する負担が減るという点でメリットがある。
【００１８】
一方、使用者が対処困難な異常（例えば、各種の装置異常）が発生した場合、アラーム画面には、異常の内容及びその対処法がイラスト及び文字にて表示されるとともに、緊急連絡先が文字にて表示されるようにしてもよい。この構成によると、所定の対処法を実行しても異常が解消されなかった場合には、速やかに緊急連絡先に連絡を入れて、メンテナンス業者に装置の復旧を依頼することができる。
【００１９】
アラーム画面には運転緊急終了用ボタンが設けられていてもよく、運転緊急終了用ボタンがタッチ操作された場合には、酸素濃縮装置の運転を終了させるようにしてもよい。この構成によると、異常発生時においては、使用者の意思により直ちに装置の運転を終了させることができる。
【００２０】
また、アラーム画面として酸素濃縮装置の稼働中の停電発生を通知する停電用アラーム画面が用意され、かつ、内部電源を備えることを前提として、酸素濃縮装置の稼働中に停電が発生した場合には、内部電源を用いて停電用アラーム画面を表示させるようにしてもよい。この構成によると、停電時であっても内部電源からの電力が供給されることから、停電発生を通知する停電用アラーム画面を確実にディスプレイに表示させることができる。なお、夜中に停電が発生したような場合には、手元が暗いため所定の対処法を実行することが困難になるが、上記構成であれば手元がいくぶん明るくなる。よって、使用者はその明かりを頼りにして所定の対処法（例えばコンセント接続の確認等）を実行することができる。
【００２１】
メイン画面のほかに、例えば、スクリーンセーブ画面が用意されていてもよい。そして、ディスプレイに対するタッチ操作が所定時間を超えて行われない場合には、スクリーンセーブ画面が表示されるとともに、設定されているディスプレイの明るさが第２の明るさよりも明るい場合には、ディスプレイの明るさが第２の明るさに自動変更されるようにしてもよい。この構成によると、自動的にスクリーンセーブモードに移行してディスプレイを暗くし、電気代を節約することができる。また、夜間においてディスプレイが明るすぎて眠れない等といった事態も防ぐことができる。
【００２２】
なお、スクリーンセーブ画面としては、任意のデザインを採用しうるが、例えばメイン画面における各種のボタンを省略する代わりに、流量表示部を大き目に配置したデザインなどを採用することが好ましい。また、スクリーンセーブ画面は１種類のみでも２種類以上でもよいが、２種類以上用意しておき所定時間ごとに画面を変更することが好ましい。タッチパネル付きディスプレイが例えば液晶である場合には、液晶の焼き付きを防止することができる。
【００２３】
メイン画面のほかに、例えば、運転終了の意思を確認する終了確認画面が用意されていてもよい。また、メイン画面には運転終了用ボタンが設けられていてもよい。そして、運転終了用ボタンがタッチ操作された場合には、ディスプレイに終了確認画面を表示するようにしてもよい。この構成によると、運転終了用ボタンがタッチ操作されたとき、直ちに装置が停止するわけではなく、終了確認画面が表示されて使用者の意思が再確認される。従って、使用者が終了用ボタンに誤って触れてしまったとしても、装置が勝手に停止することがなく、意図しない操作を未然にかつ確実に防ぐことができる。
【００２４】
なお、終了確認画面としては、任意のデザインを採用しうるが、例えば運転終了の意思を問う文字とともに、運転終了に同意するときに操作するボタン、運転終了に同意しないときに操作するボタンなどを適宜配置したデザインなどを採用することが好ましい。
【００２５】
メイン画面のほかに、例えば、特定のボタンのタッチ操作を不能にするロック画面が用意されていてもよい。そして、メイン画面には画面ロック用ボタンが設けられ、画面ロック用ボタンがタッチ操作された場合には、ディスプレイにロック画面を表示するようにしてもよい。この構成によると、特定のボタンに誤って触れたとしても、タッチ操作が不能になっていることから誤動作につながることがない。ゆえに、使用者の意図しない操作を未然に防ぐことができる。
【００２６】
なお、ロック画面としては、任意のデザインを採用しうるが、例えば特定のボタンを通常時よりも薄く表示（言い換えると、背景とのコントラストが小さくなるように表示）したデザインなどを採用することが好ましい。
【００２７】
さらに、ロック画面には画面ロック解除用ボタンが設けられていてもよく、画面ロック解除用ボタンがタッチ操作された場合には、メイン画面を表示させるようにしてもよい。この構成によると、ロックが不要である場合には、使用者の意思によりロック画面を解除して通常時のメイン画面に復帰させることができる。
【図面の簡単な説明】
【００２８】
【図１】本発明を具体化した実施形態の酸素濃縮装置の外観を示す斜視図。
【図２】実施形態の酸素濃縮装置の基本構成を示す説明図。
【図３】実施形態の酸素濃縮装置の電気的構成を示すブロック図。
【図４】上記装置のディスプレイに表示されるメイン画面を示す説明図。
【図５】実施形態の電子制御装置にて行われる処理（流量変更処理）を説明するためのフローチャート。
【図６】図５の処理が行われる際の画面の変化を示す説明図。
【図７】実施形態の電子制御装置にて行われる処理（明るさ変更処理）を説明するためのフローチャート。
【図８】図７の処理が行われる際の画面の変化を示す説明図。
【図９】実施形態の電子制御装置にて行われる処理（運転終了処理）を説明するためのフローチャート。
【図１０】図９の処理が行われる際の画面の変化を示す説明図。
【図１１】実施形態の電子制御装置にて行われる処理（操作ロック処理及び操作ロック解除処理）を説明するためのフローチャート。
【図１２】図１１の処理が行われる際の画面の変化を示す説明図。
【図１３】実施形態の電子制御装置にて行われる処理（異常報知処理）を説明するためのフローチャート。
【図１４】図１３の処理が行われる際の画面の変化を示す説明図。
【発明を実施するための形態】
【００２９】
以下、本発明を医療用酸素濃縮装置に具体化した一実施の形態を図１〜図１４に基づき詳細に説明する。ここでは、空気中から窒素吸着剤（以下吸着剤という）を用いて窒素を吸着除去して酸素を濃縮し、得られた酸素濃縮ガスを患者に対して供給する圧力変動吸着型の医療用酸素濃縮装置を例示する。
【００３０】
図１、図２に示されるように、本実施形態の酸素濃縮装置１１は、全体的に略直方体形状であって上面が凸状に湾曲した本体ケース１２を備えている。この本体ケース１２の上面には、表示器としてのタッチパネル付きディスプレイ１３が斜め上方を向くようにして設けられている。また、本体ケース１２の前面側における上部位置には、カニューラ接続部１４が設けられている。カニューラ接続部１４のすぐ下方にはカバー１５が設けられており、そのカバー１５を開けると酸素濃縮ガスの加湿を行うための加湿器１６が露出するようになっている。一方、本体ケース１２の背面側における上部位置には空気取込口１７が設けられ、その下部位置には電源スイッチ１８（図３参照）が設けられている。
【００３１】
次に、図２に基づいてこの酸素濃縮装置１１の基本動作を行う各構成について説明する。酸素濃縮装置１１において、空気取込口１７を始端とする空気の流路２２上には、上流側から順に、原料空気を圧縮するためのコンプレッサ２３と、一対の吸着筒（第１吸着筒２５、第２吸着筒２７）とが設けられている。これら吸着筒２５、２７内には、空気中の窒素を優先的に吸着して酸素を分離するゼオライト系の吸着剤（例えばＬｉ−Ｘ型ゼオライト）が充填されている。コンプレッサ２３と吸着筒２５、２７との間には、一対の三方向切換弁（第１切換弁２９、第２切換弁３１）が設けられている。これら切換弁２９、３１は、吸着筒２５、２７内の圧力の加減圧を繰り返すことで窒素の吸着と離脱とを切り換える役割を果たしている。また、一対の吸着筒２５、２７には、三方向切換弁２９、３１を介して窒素を排気する排気路３３が設けられている。
【００３２】
一対の吸着筒２５、２７の下流側には、両吸着筒２５、２７間を連通する第１連通路３５と第２連通路３９とが設けられている。第１連通路３５上には、両吸着筒２５、２７間の圧力を調節するための二方弁（均圧弁）３７が設けられている。第２連通路３９上には、オリフィス４１が設けられている。
【００３３】
第１吸着筒２５の下流側、第２吸着筒２７の下流側には、それぞれ酸素濃縮ガスの逆流を防止するための逆止弁４３、４５が設けられている。これら一対の逆止弁４３、４５の下流側において分岐していた流路２２は再び合流する。そして、合流後の流路２２上には、その上流側から順に、酸素濃縮ガスを溜めるための製品タンク４７、酸素濃縮ガスの圧力を調節するための圧力調節器（レギュレータ）４９、酸素濃縮ガスの流量を調整するための流量調整弁５０、上述した加湿器１６、流路２２を開閉するための電磁開閉弁５１が設けられている。そして、流路２２の最も下流側には、カニューラを接続可能な上述したカニューラ接続部１４が設けられている。
【００３４】
流量調整弁５０と加湿器１６との間には、酸素濃縮ガスの酸素濃度を検出するための酸素センサ５３が配置されている。また、コンプレッサ２３と三方向切換弁２９、３１との間には第１圧力センサ５６が配置され、加湿器１６と電磁開閉弁５１との間には第２圧力センサ５７が配置されている。
【００３５】
このうち、コンプレッサ２３は、ＤＣブラシレスモータ２４により駆動されるものであり、このＤＣブラシレスモータ２４には、ＤＣブラシレスモータ２４の回転数（即ちコンプレッサ２３の回転数）を検出するために、ホールセンサ２６が設置されている。このＤＣブラシレスモータ２４は、通常、ホールセンサ２６によって検出された回転数に基づいて、周知のインバータ回路２８により、所定の目標の回転数となるように制御される。なお、ホールセンサ２６によって検出されたＤＣブラシレスモータ２４の回転数は、インバータ回路２８を介して、電子制御装置６１（図３参照）に入力される。
【００３６】
次に、本実施形態の酸素濃縮装置１１の電気的構成について図３に基づき説明する。
【００３７】
この酸素濃縮装置１１は、酸素濃縮装置１１における各種の動作を制御するための電子制御装置６１を内蔵している。この電子制御装置６１は、周知のマイクロコンピュータ（マイコン）６２と、メモリ（ＥＥＰＲＯＭ）６３と、入出力ポート６４とを備えており、それらは互いに電気的に接続されている。マイコン６２内には、この装置１１の運転に必要な各種プログラムがあらかじめ格納されている。この酸素濃縮装置１１は、外部電源から供給される交流電源を複数の異なる電圧値の直流電源に変換する電源回路（図示略）を有しており、電子制御装置６１を始めとする各機器はその電源回路からの電源供給を受けている。さらに、この酸素濃縮装置１１は、停電時における予備の電源としての内部電源１９を有している。内部電源１９は各機器のうち主として電子制御装置６１及びディスプレイ１３に電源を供給するようになっている。
【００３８】
電子制御装置６１における入出力ポート６４には、電源スイッチ１８、第１圧力センサ５５、第２圧力センサ５７、酸素センサ５３、温度センサ６６、ホールセンサ２６が電気的に接続されている。従って、電源スイッチ１８のオン・オフ信号や各種センサ５５、５７、５３、６６、２６の検出信号が、入出力ポート６４を介してマイコン６２に入力されるようになっている。また、入出力ポート６４には、三方向切換弁２９、３１、均圧弁３７、電磁開閉弁５１、流量調整弁５０、ブザー等の警報器６７が電気的に接続され、かつインバータ回路２８を介してＤＣブラシレスモータ２４が電気的に接続されている。従って、マイコン６２からの駆動信号が入出力ポート６４を介して上記各機器（三方向切換弁２９、３１、均圧弁３７、電磁開閉弁５１、流量調整弁５０、ブザー等の警報器６７）に出力され、それら駆動信号に基づいて各機器が適宜駆動されるようになっている。
【００３９】
また、この酸素濃縮装置１１の場合、入出力ポート６４にはさらにタッチパネル付きディスプレイ１３が電気的に接続されている。本実施形態では、上記ディスプレイ１３として静電容量方式の液晶ディスプレイ装置を使用している。このほか、抵抗膜方式の液晶ディスプレイ装置などを使用することも可能である。なお、本実施形態におけるディスプレイ１３は、流量表示手段として機能するばかりでなく、タッチパネル付きであることから入力手段としても機能する。さらにこのディスプレイ１３は、流量設定手段、異常報知手段等としても機能する。
【００４０】
次に、上述した構成を備えた本実施形態の酸素濃縮装置１１の基本的な動作について説明する。
【００４１】
図２等に示されるように、この酸素濃縮装置１１では、基本的に第１吸着筒２５及び第２吸着筒２７における加圧・減圧を交互に繰り返すことにより、酸素の濃縮及び吸着剤の再生を行う。例えば、コンプレッサ２３により、第１切換弁２９を介して第１吸着筒２５に圧縮空気を送り込み、吸着剤に窒素を吸着させて酸素を濃縮する。そして、所定時間が経過したら、両切換弁２９、３１により、加圧方向をもう一方の第２吸着筒２７に切り換える。それとともに、第１吸着筒２５を大気側に接続し、吸着した窒素が減圧とともに排出されるようにする。
【００４２】
また、加圧と減圧とを切り換える場合には、僅かの期間だけ均圧弁３７を開いて、加圧されていた第１吸着筒２５から減圧されていた第２吸着筒２７に対して、通常の流れとは逆方向に濃縮酸素ガスを供給する。この酸素濃縮ガスにより、第２吸着筒２７内の吸着剤に吸着された窒素及び水分が洗い流され、第２切換弁３１及び排気路３３を介して外界に排出される。
【００４３】
このようにして、両吸着筒２５、２７により、加圧時には酸素だけを抽出し、その酸素濃縮ガスを、外部（即ち使用者である患者）に供給する。これを、両吸着筒２５、２７に対して交互に繰り返すことにより、９０％以上の濃縮酸素を連続的に得ることができる。
【００４４】
次に、本実施形態の酸素濃縮装置１１が行う他の動作（流量変更動作、明るさ変更動作、画面ロック・ロック解除動作、運転終了動作、異常報知動作）について図４〜図１４に基づき説明する。上記動作は主としてディスプレイ１３を利用して実行される。
【００４５】
この酸素濃縮装置１１の場合、ディスプレイ１３に表示される画面として、複数種類の画面（メイン画面Ｇ１、流量選択画面Ｇ２、スクリーンセーブ画面Ｇ３１，Ｇ３２、終了確認画面Ｇ４、ロック画面Ｇ５、アラーム画面Ｇ６１〜Ｇ６４）が用意されている。なお、これらの画面Ｇ１〜Ｇ６４に関する画像データは、画像記憶手段であるメモリ６３内にそれぞれ格納されている。
【００４６】
図４には、通常時（正常運転時）においてディスプレイ１３に表示されるメイン画面Ｇ１が示されている。本実施形態のディスプレイ１３は矩形状を呈しており、その中央部には現在の設定流量（Ｌ／分）を表示する流量表示部８１が配置されている。この流量表示部８１の場合、３桁の数字（小数点以下２桁の数字）が表示されるようになっている。
【００４７】
流量表示部８１を挟んでその右側には第１の流量増減用ボタン８２が配置され、その左側には第２の流量増減用ボタン８３が配置されている。第１の流量増減用ボタン８２は、現在の設定流量を所定量ずつ増加させる際に操作されるものであって、「ふやす」という文字を中央に配した円形状のボタンとしている。第２の流量増減用ボタン８２は、現在の設定流量を所定量ずつ減少させる際に操作されるものであって、「へらす」という文字を中央に配した円形状のボタンとされている。
【００４８】
流量表示部８１の下方には、メイン画面Ｇ１を流量選択画面Ｇ２に切り替える際に操作される画面切換用ボタン８４が配置されている。本実施形態における画面切換用ボタン８４は、「流量を変える」という文字を中央に配した、角が丸い矩形状のボタンとされている。
【００４９】
画面切換用ボタン８４の左側には、運転終了用ボタン８７が配置されている。本実施形態における運転終了用ボタン８７は、「運転終了」という文字を中央に配した、角が丸い矩形状のボタンとされている。なお、運転終了用ボタン８７は画面切換用ボタン８４よりも若干小さくなっている。画面切換用ボタン８４の右側には、明るさ変更用ボタン８５及び画面ロック用ボタン８６が上下に配置されている。本実施形態における明るさ変更用ボタン８５は、「明るさ」という文字を中央に配した、角が丸い矩形状のボタンとされている。本実施形態における画面ロック用ボタン８６は、特定のボタンのタッチ操作を不能にする際に操作されるものであって、「ロック３秒押し」という文字を中央に配した、角が丸い矩形状のボタンとされている。なお、明るさ変更用ボタン８５及び画面ロック用ボタン８６は、画面切換用ボタン８４の半分以下の大きさとなっている。
【００５０】
なお、画面切換用ボタン８４の上側には、装置１１が運転中であることを示す  運転中表示部８８が配置されている。正常運転時には、本実施形態における運転中表示部８８の中央部に「運転中」という文字が表示される。その文字の右側には、濃縮酸素ガスが流れている状態を示すべく３つの三角形状の移動図形８９が順次点灯するように表示される。
【００５１】
次に、電子制御装置６１にて行われる流量変更処理を図５のフローチャートを用いて説明する。図６は、流量変更処理により流量変更動作が行われる際の画面の変化を示したものである。なお、流量変更処理のためのプログラムはマイコン６２内に格納されており、マイコン６２は所定条件下で当該プログラムを読み出して実行する。
【００５２】
最初のステップ（Ｓ１００）において、マイコン６２は、メイン画面Ｇ１にて「へらす」ボタン、即ち第２の流量増減用ボタン８３がタッチ操作されたか否かを判定する。使用者が第２の流量増減用ボタン８３をタッチ操作した場合、マイコン６２は所定のタッチ操作がなされたと判定して（Ｓ１００：Ｙ）、次ステップ（Ｓ１１０）に移行し、設定流量を１ポイント（例えば０．１Ｌ／分）下げる制御を行うべく流量調整弁５０に駆動信号を出力する。併せてマイコン６２は、流量増減用ボタン８３の画像を濃色の画像に変更し、その画像をディスプレイ１３に表示させる制御を行った後、処理を終了する。
【００５３】
第２の流量増減用ボタン８３がタッチ操作されていないと判定した場合（Ｓ１００：Ｎ）、マイコン６２は、次ステップ（Ｓ１２０）に移行して、メイン画面Ｇ１にて「ふやす」ボタン、即ち第１の流量増減用ボタン８２がタッチ操作されたか否かを判定する。使用者が第１の流量増減用ボタン８２をタッチ操作した場合、マイコン６２は所定のタッチ操作がなされたと判定して（Ｓ１２０：Ｙ）、次ステップ（Ｓ１３０）に移行し、設定流量を１ポイント（例えば０．１Ｌ／分）上げる制御を行うべく流量調整弁５０に駆動信号を出力する。併せてマイコン６２は、流量増減用ボタン８２の画像を濃色の画像に変更し、その画像をディスプレイ１３に表示させる制御を行った後、処理を終了する。
【００５４】
第１の流量増減用ボタン８２がタッチ操作されていないと判定した場合（Ｓ１２０：Ｎ）、マイコン６２は次ステップ（Ｓ１４０）に移行して、メイン画面Ｇ１にて「流量を変える」ボタン、即ち画面切換用ボタン８４がタッチ操作されたか否かを判定する。使用者が画面切換用ボタン８４をタッチ操作した場合、マイコン６２は所定のタッチ操作がなされたと判定して（Ｓ１４０：Ｙ）、次ステップ（Ｓ１５０）に移行し、メイン画面Ｇ１を流量選択画面Ｇ２に切り替えてそれをディスプレイ１３に表示させる制御を行う。画面を切り替えた後、マイコン６２は次ステップ（Ｓ１６０）に移行する。一方、画面切換用ボタン８４がタッチ操作されていないと判定された場合（Ｓ１４０：Ｎ）、マイコン６２は流量選択画面Ｇ２に移行することなく、一連の処理を終了する。
【００５５】
図６に示されるように、本実施形態の流量選択画面Ｇ２では、上部に流量選択を促すべく「流量を選択して下さい」というメッセージ（流量選択メッセージ９２）が表示される。また、その下方には、複数の流量選択用ボタン９１が配置されている。本実施形態における流量選択用ボタン９１は、「ｘｘＬ」という文字を中央に配した円形状のボタンとされている。具体的には、「０．２５Ｌ」、「０．５Ｌ」、「０．７５Ｌ」、「１Ｌ」、「１．２５Ｌ」、「１．５Ｌ」、「１．７５Ｌ」、「２Ｌ」、「２．５Ｌ」、「３Ｌ」、「３．５Ｌ」、「４Ｌ」、「４．５」、「５Ｌ」という文字をそれぞれ配した１４種類のボタンが用意されている。また、流量選択画面Ｇ２の右側下部には、メイン画面Ｇ１に戻るためのボタン（戻るボタン９３）が配置されている。
【００５６】
ステップＳ１６０においてマイコン６２は、流量選択画面Ｇ２のいずれかの流量選択用ボタン９１がタッチ操作されたか否かを複数の流量選択用ボタン９１ごとに判断する。例えば、使用者が設定した流量が「ｘｘＬ」（図６では「０．２５Ｌ」）であるとする。このとき、マイコン６２は特定の流量選択用ボタン９１がタッチ操作されたか否かを判定する。「ｘｘＬ」に対応する特定の流量選択用ボタン９１がタッチ操作されたと判定された場合（Ｓ１６０：Ｙ）、マイコン６２は次ステップ（Ｓ１７０）に移行し、設定流量を「ｘｘＬ」に変更する制御を行うべく流量調整弁５０に駆動信号を出力する。併せてマイコン６２は、「ｘｘＬ」に対応する特定の流量選択用ボタン９１（図６では、０．２５Ｌ選択用ボタン）の画像を濃色の画像に変更し、その画像をディスプレイ１３に表示させる制御を行う。そして、マイコン６２は設定流量が「ｘｘＬ」に変更されたことを確認した後、次ステップ（Ｓ１８０）に移行してメイン画面Ｇ１に戻す制御を行い、一連の処理を終了する。
【００５７】
これに対して「ｘｘＬ」に対応する特定の流量選択用ボタン９１がタッチ操作されていないと判定された場合（Ｓ１６０：Ｎ）、マイコン６２は次ステップ（Ｓ１９０）に移行し、戻るボタン９３がタッチ操作されているか否かを判定する。戻るボタン９３がタッチ操作されたと判定された場合（Ｓ１９０：Ｙ）、マイコン６２は、戻るボタン９３の画像を濃色の画像に変更してディスプレイ１３に表示させるとともに、流量変更ステップ（Ｓ１７０）をパスして次ステップ（Ｓ１８０）に移行した後、メイン画面Ｇ１に戻るように制御する。これに対して、戻るボタン９３がタッチ操作されていないと判定された場合（Ｓ１９０：Ｎ）、マイコン６２は、前のステップ（Ｓ１６０）に戻って、特定の流量選択用ボタン９１がタッチ操作されたか否かの判定を再度行う。
【００５８】
次に、電子制御装置６１にて行われる明るさ変更動作を図７のフローチャートを用いて説明する。図８は、明るさ変更処理により明るさ変更動作が行われる際の画面の変化を示したものである。なお、明るさ変更処理のためのプログラムはマイコン６２内に格納されており、マイコン６２は所定条件下で当該プログラムを読み出して実行する。
【００５９】
最初のステップ（Ｓ２００）において、マイコン６２は、メイン画面Ｇ１にて「明るさ」ボタン、即ち明るさ変更用ボタン８５がタッチ操作されたか否かを判定する。使用者が明るさ変更用ボタン８５をタッチ操作した場合、マイコン６２は、所定のタッチ操作がなされたと判定し（Ｓ２００：Ｙ）、次ステップ（Ｓ２１０）に移行する。このときにマイコン６２は、明るさ変更用ボタン８５の画像を濃色の画像に変更してディスプレイ１３に表示させる（図８参照）。ステップＳ２１０においてマイコン６２は、明るさの現設定が「暗い」か否かを判定する。明るさの現設定が「暗い」と判定された場合（Ｓ２１０：Ｙ）、マイコン６２は次ステップ（Ｓ２２０）に移行して、明るさが「ふつう」になるように変更する。具体的には、液晶のバックライトの強度を低レベルから中レベルに上げるべく、マイコン６２がディスプレイ１３に対して制御信号を出力する。このような明るさ変更が行われた後、マイコン６２は一連の処理を終了する。なお、変更用ボタン８５がタッチ操作されていないと判定された場合には（Ｓ２００：Ｎ）、明るさ変更を行う必要がないことからステップＳ２１０、Ｓ２２０をパスして、一連の処理を終了する。
【００６０】
また、ステップＳ２１０において明るさの現設定が「暗い」と判定されなかった場合（Ｓ２１０：Ｎ）、マイコン６２は次ステップ（Ｓ２３０）に移行し、明るさの現設定が「ふつう」か否かを判定する。明るさの現設定が「ふつう」であると判定された場合（Ｓ２３０：Ｙ）、マイコン６２は次ステップ（Ｓ２４０）に移行して、明るさが「明るい」になるように変更する。具体的には、液晶のバックライトの強度を中レベルから高レベルに上げるべく、マイコン６２がディスプレイ１３に対して制御信号を出力する。このような明るさ変更が行われた後、マイコン６２は一連の処理を終了する。
【００６１】
また、明るさの現設定が「ふつう」ではないと判定された場合（Ｓ２３０：Ｎ）、言い換えると明るさの現設定が「明るい」である場合、マイコン６２は次ステップ（Ｓ２５０）に移行して、明るさが「暗い」になるように変更する。具体的には、液晶のバックライトの強度を高レベルから低レベルに下げるべく、マイコン６２がディスプレイ１３に対して制御信号を出力する。このような明るさ変更が行われた後、マイコン６２は一連の処理を終了する。
【００６２】
なお、電子制御装置６１にて行われる明るさ変更動作の一部（明るさ自動調整動作）は、図１３のフローチャートに含まれており、それについては後述する。
【００６３】
次に、電子制御装置６１にて行われる運転終了処理を図９のフローチャートを用いて説明する。図１０は、運転終了処理により運転終了動作が行われる際の画面の変化を示したものである。なお、運転終了処理のためのプログラムはマイコン６２内に格納されており、マイコン６２は所定条件下で当該プログラムを読み出して実行する。
【００６４】
最初のステップ（Ｓ３００）において、マイコン６２は、メイン画面Ｇ１にて「運転終了」ボタン、即ち運転終了用ボタン８７がタッチ操作されたか否かを判定する。使用者が運転終了用ボタン８７をタッチ操作した場合、マイコン６２は、所定のタッチ操作がなされたと判定し（Ｓ３００：Ｙ）、次ステップ（Ｓ３１０）に移行する。このときにマイコン６２は、運転終了用ボタン８７の画像を濃色の画像に変更してディスプレイ１３に表示させるとともに（図１０参照）、メイン画面Ｇ１を終了確認画面Ｇ４に切り替えてそれをディスプレイ１３に表示させる制御を行う。なお、ステップＳ３００において、運転終了用ボタン８７がタッチ操作されなかったと判定した場合には（Ｓ３００：Ｎ）、ここでの処理を終了する。
【００６５】
本実施形態の場合、終了確認画面Ｇ４における中央には、終了確認の意思を問うべく「運転を終了します。よろしいですか？」というメッセージ（終了確認メッセージ１１１）が表示される（図１０参照）。また、その下方には、「戻る」の文字を配したボタン（戻るボタン１１２）、「はい」の文字を配したボタン（終了是認ボタン１１３）、「いいえ」の文字を配したボタン（終了否認ボタン１１４）が横並びに配置されている。
【００６６】
画面を切り替えた後、マイコン６２は次ステップ（Ｓ３２０）に移行して終了是認ボタン１１３がタッチ操作されたか否かを判定する。使用者が終了是認ボタン１１３をタッチ操作した場合、マイコン６２は所定のタッチ操作がなされたと判定し（Ｓ３２０：Ｙ）、終了是認ボタン１１３の画像を濃色の画像に変更してディスプレイ１３に表示させて次ステップ（Ｓ３３０）に移行する。そして、マイコン６２はディスプレイ１３の消灯などを行って装置１１の運転を終了させ、一連の処理を終了する。
【００６７】
これに対して、終了是認ボタン１１３のタッチ操作がなされていないと判定された場合には（Ｓ３２０：Ｎ）、マイコン６２は次ステップ（Ｓ３４０）に移行して戻るボタン１１２がタッチ操作されたか否かを判定する。戻るボタン１１２がタッチ操作されたと判断した場合（Ｓ３４０：Ｙ）、マイコン６２は、戻るボタン１１２の画像を濃色の画像に変更してディスプレイ１３に表示させて次ステップ（Ｓ３５０）に移行する。ステップＳ３５０においてマイコン６２は、終了確認画面Ｇ４をメイン画面Ｇ１に戻す制御を行い、一連の処理を終了する。また、戻るボタン１１２がタッチ操作されていないと判断した場合（Ｓ３４０：Ｎ）、マイコン６２は次ステップ（Ｓ３６０）に移行して終了否認ボタン１１４がタッチ操作されたか否かを判定する。
【００６８】
終了否認ボタン１１４がタッチ操作されたと判断した場合（Ｓ３６０：Ｙ）、マイコン６２は、終了否認ボタン１１４の画像を濃色の画像に変更してディスプレイ１３に表示させて次ステップ（Ｓ３５０）に移行する。そして、マイコン６２はメイン画面Ｇ１に戻るように制御を行い、一連の処理を終了する。一方、終了否認ボタン１１４がタッチ操作されていないと判定した場合（Ｓ３６０：Ｙ）、マイコン６２はステップＳ３２０に戻り、再び終了是認ボタン１１３のタッチ操作の有無の判定を行う。
【００６９】
次に、電子制御装置６１にて行われる画面ロック・ロック解除処理を図１１のフローチャートを用いて説明する。図１２は、画面ロック・ロック解除処理により画面ロック・ロック解除動作が行われる際の画面の変化を示したものである。なお、画面ロック・ロック解除処理のためのプログラムはマイコン６２内に格納されており、マイコン６２は所定条件下で当該プログラムを読み出して実行する。
【００７０】
最初のステップ（Ｓ４００）において、マイコン６２は、メイン画面Ｇ１にて「ロック３秒押し」ボタン、即ち画面ロック用ボタン８６がタッチ操作されたか否かを判定する。画面ロック用ボタン８６がタッチ操作されたと判断した場合（Ｓ４００：Ｙ）、マイコン６２は、画面ロック用ボタン８６の画像を濃色の画像に変更する制御を行い、次ステップ（Ｓ４１０）に移行する。ステップＳ４１０においてマイコン６２は、画面ロック用ボタン８６に対するタッチ操作が長押しで３秒以上経過したか否かを判定する。長押しで３秒以上経過していないと判断した場合には（Ｓ４１０：Ｎ）、マイコン６２はステップＳ４００に戻り、再び画面ロック用ボタン８６のタッチ操作の有無の判定を行う。
【００７１】
長押しで３秒以上経過したと判断した場合には（Ｓ４１０：Ｙ）、マイコン６２は次ステップ（Ｓ４２０）に移行し、メイン画面Ｇ１をロック画面Ｇ５に切り替えてそれをディスプレイ１３に表示させる制御を行う。画面の切換後、マイコン６２は次ステップ（Ｓ４３０）に移行する。ちなみに、画面ロック用ボタン８６がタッチ操作されていないと判定した場合には（Ｓ４００：Ｎ）、マイコン６２はステップＳ４１０、Ｓ４２０をパスして、ステップＳ４３０に移行する。
【００７２】
本実施形態のロック画面Ｇ５は、基本的にはメイン画面Ｇ１と共通の構成要素を有しているが、特定のボタンを通常時よりも色を薄くして表示（言い換えると、背景とのコントラストが小さくなるように表示）したデザインとなっている。具体的には、図１２に示されるように、流量増減用ボタン８２、８３、画面切換用ボタン８４、明るさ変更用ボタン８５、運転終了用ボタン８７が色を薄くして表示され、これらについてはタッチ操作が無効化される。一方、ロック画面Ｇ５においては、画面ロック用ボタン８６は存在せず、その代わりに画面ロック解除用ボタン１２１が配置されている。画面ロック解除用ボタン１２１は、タッチ操作を有効化しておく必要があることから、色を薄くして表示しない。また、流量表示部８１、運転中表示部８８及び移動図形８９も色を薄くして表示されず、メイン画面Ｇ１のときの表示態様と等しいものとされている。
【００７３】
マイコン６２は、ロック画面Ｇ５にて「ロック解除３秒押し」ボタン、即ち画面ロック解除用ボタン１２１がタッチ操作されたか否かを判定する。画面ロック解除用ボタン１２１がタッチ操作されたと判断した場合（Ｓ４３０：Ｙ）、マイコン６２は、画面ロック解除用ボタン１２１の画像を濃色の画像に変更する制御を行い、次ステップ（Ｓ４４０）に移行する。ステップＳ４４０においてマイコン６２は、画面ロック解除用ボタン１２１に対するタッチ操作が長押しで３秒以上経過したか否かを判定する。長押しで３秒以上経過していないと判断した場合には（Ｓ４４０：Ｎ）、マイコン６２はステップＳ４３０に戻り、再び画面ロック解除用ボタン１２１のタッチ操作の有無の判定を行う。
【００７４】
長押しで３秒以上経過したと判断した場合には（Ｓ４４０：Ｙ）、マイコン６２は次ステップ（Ｓ４５０）に移行し、ロック画面Ｇ５をメイン画面Ｇ１に戻すように切り替える制御を行う。画面が切り替わると、全てのボタンが再び有効化されてタッチ操作可能な状態となり、一連の処理が終了する。なお、画面ロック解除用ボタン１２１がタッチ操作されていないと判定した場合には（Ｓ４３０：Ｎ）、マイコン６２はステップＳ４４０、Ｓ４５０をパスして、一連の処理が終了する。
【００７５】
次に、電子制御装置６１にて行われる異常報知処理を図１３のフローチャートを用いて説明する。図１４は、異常報知処理により異常報知動作が行われる際の画面の変化を示したものである。なお、異常報知処理のためのプログラムはマイコン６２内に格納されており、マイコン６２は所定条件下で当該プログラムを読み出して実行する。
【００７６】
本実施形態の装置１１では、異常を通知するアラーム画面として、４種類のアラーム画面Ｇ６１、Ｇ６２、Ｇ６３、Ｇ６４が用意されており、これらのデータはメモリ６３内に格納されている。各アラーム画面Ｇ６１、Ｇ６２、Ｇ６３、Ｇ６４には、異常の内容及びその対処法がイラスト及び文字にて表示され、具体的には運転緊急終了用ボタン１３１、異常内容メッセージ１３２、対処法説明文１３３、補助説明文１３４、説明イラスト１３５が表示される。アラーム画面Ｇ６１、Ｇ６２、Ｇ６３、Ｇ６４における最上部には、異常内容メッセージ１３２が大きく目立つように配置されるとともに、常に点滅状態で表示される。異常内容メッセージ１３２の下方には、対処法説明文１３３が配置されるとともに、必要に応じて補助説明文１３４が配置されている。アラーム画面Ｇ６１、Ｇ６２、Ｇ６３、Ｇ６４における下部左側には、「運転終了」の文字を配した比較的大きな運転緊急終了用ボタン１３１が配置されている。その右側には、説明イラスト１３５が配置されている。
【００７７】
図１４を用いて具体的に説明すると、アラーム画面Ｇ６１は、加湿器はずれ警告用のアラーム画面Ｇ６１であり、「加湿器がはずれています」という異常内容メッセージ１３２が表示される。また、このアラーム画面Ｇ６１では、「加湿器がはまっていません、正しい位置にはめてください」という対処法説明文１３３が表示され、その対処法として加湿器をはめる作業を描いた説明イラスト１３５が表示される。
【００７８】
アラーム画面Ｇ６２は、チューブ折れ警告用のアラーム画面Ｇ６２であり、「チューブが折れています」という異常内容メッセージ１３２が表示される。また、このアラーム画面Ｇ６２では、「チューブの折れ曲がりを直してください」という対処法説明文１３３が表示され、その下方に「チューブが折れ、液量が低下しています」という補助説明文１３４が表示される。さらに、その対処法として、チューブ折れの箇所を示した説明イラスト１３５が表示される。
【００７９】
アラーム画面Ｇ６３は、稼働中の停電警告用のアラーム画面Ｇ６３であり、「電源確認／装置が止まっています」という異常内容メッセージ１３２が表示される。また、このアラーム画面Ｇ６３では、「コンセントの接続を確認してください」という対処法説明文１３３が表示され、その下方に「災害時の停電の際は酸素ボンベに切り替え装置のコンセントを抜いてください」という補助説明文１３４が表示される。さらに、その対処法として、コンセントを抜く様子を描いた説明イラスト１３５が表示される。
【００８０】
アラーム画面Ｇ６４は、装置異常警告用のアラーム画面Ｇ６４であり、「装置の点検が必要です」という異常内容メッセージ１３２が表示される。また、このアラーム画面Ｇ６４では、「酸素ボンベに切り替え装置の点検を受けてください」という対処法説明文１３３が表示されるともに、酸素ボンベを描いた説明イラスト１３５が表示されている。さらに、このアラーム画面Ｇ６４では、緊急連絡先１３６としてメンテナンス業者の連絡先（電話番号）が文字にて表示される。
【００８１】
最初のステップ（Ｓ５００）においてマイコン６２は、各種センサ等からの検出信号に基づいて、装置１１に何らかの異常が発生しているか否かを判定する。異常が発生していると判定した場合（Ｓ５００：Ｙ）、マイコン６２は次ステップ（Ｓ５１０）に移行し、異常発生直前の明るさが「暗い」または「ふつう」に設定されているときに明るさが「明るい」になるように変更する制御を行う。具体的には、液晶のバックライトの強度を高レベルに上げるべく、マイコン６２がディスプレイ１３に対して制御信号を出力する。このように明るさを自動で変更した後、マイコン６２は次ステップ（Ｓ５２０）に移行し、その異常の内容に応じたいずれかのアラーム画面Ｇ６１、Ｇ６２、Ｇ６３、Ｇ６４をディスプレイ１３に表示させるよう制御する。このときマイコン６２は、警報器６７を作動させて音声による警告も行う。所定のアラーム画面Ｇ６１、Ｇ６２、Ｇ６３、Ｇ６４に切り替わった後、マイコン６２は一連の処理を終了する。仮にここで使用者によって運転緊急終了用ボタン１３１がタッチ操作された場合には、上述した終了確認画面Ｇ４に切り替わることなく、直ちに装置１１の運転が停止される。
【００８２】
ステップＳ５００にて特に異常が発生していないと判定した場合（Ｓ５００：Ｎ）、マイコン６２は次ステップ（Ｓ５３０）に移行して、現在の状態がスクリーンセーブモードであるか否かを判定する。ちなみに、この装置１１は通常モードのほかにスクリーンセーブモードを備えていて、長時間タッチ操作が行われないときには、節電のため自動的にスクリーンセーブモードに移行するようにあらかじめ設計されている。そして、現在の状態がスクリーンセーブモードではなく通常モードであると判定した場合（Ｓ５３０：Ｎ）、マイコン６２は、特に明るさの変更を行うことなく、通常モードを維持したまま一連の処理を終了する。これに対して、現在の状態がスクリーンセーブモードであると判定した場合（Ｓ５３０：Ｙ）、マイコン６２は次ステップ（Ｓ５４０）に移行して、設定されている明るさが「ふつう」または「明るい」であるときに明るさを「暗い」に変更する制御を行う。その後、マイコン６２はさらに次ステップ（Ｓ５５０）に移行してスクリーンセーブ画面Ｇ３１、Ｇ３２のいずれかを表示させるように制御し、一連の処理を終了する。
【００８３】
図８に示されるように、本実施形態の装置１１における第１のスクリーンセーブ画面Ｇ３１及び第２のスクリーンセーブ画面Ｇ３２では、いずれも流量表示部８１が配置されるとともに、「酸素が出ています」という文字からなる運転中表示部１０１と移動図形８９とが横並びで配置される。また、これらスクリーンセーブ画面Ｇ３１、Ｇ３２では、「操作するときには画面に触れてください」という文字からなる操作誘導表示部１０２が配置される。これらスクリーンセーブ画面Ｇ３１、Ｇ３２では、背景が暗くてシンプルなデザインとなっており、各種ボタンが非表示とされている。そして、スクリーンセーブモードのときには、これら２種類のスクリーンセーブ画面Ｇ３１、Ｇ３２が所定時間ごとに交互に切り替えて表示されるようになっている。ちなみに、スクリーンセーブモードにおいて使用者がディスプレイ１３の画面に触れると、直ちに通常モードに復帰し、メイン画面Ｇ１が表示されるようになっている。
【００８４】
従って、本実施の形態によれば以下の効果を得ることができる。
【００８５】
（１）本実施形態の酸素濃縮装置１１によると、タッチパネル付きディスプレイ１３を表示器として用いているため、例えばＬＥＤ等のランプ、７セグメントディスプレイ、ドットマトリクスディスプレイなどを表示器として用いた場合に比べて、比較的広範囲に多くの情報を提示することができ、そもそも視認性に優れている。また、ディスプレイ１３の画面にタッチして操作することが可能なため、そもそも操作性に優れるばかりでなく、ディスプレイ１３とは別に操作部を設ける必要がないため設置スペースの制約を受けにくい。
【００８６】
しかも、流量設定に関して２種類の画面（即ちメイン画面Ｇ１、流量選択画面Ｇ２）が用意されているこの装置１１の場合、ディスプレイ１３にメイン画面Ｇ１が表示されている通常時には、流量増減用ボタン８２、８３に対するタッチ操作により、設定流量を徐々に増加または減少させることができる。また、設定流量を素早く変更したい場合には、流量選択用ボタン９１に対するタッチ操作により、メイン画面Ｇ１から流量選択画面Ｇ２に切り替えることができる。従って、異なる設定流量ごとに設けた複数の流量選択用ボタン９１のいずれかをタッチ操作することにより、所望とする設定流量に直ちに変更することができ、操作性が大幅に向上する。
【００８７】
しかも、この装置１１によると、画面切換によってディスプレイ１３にはメイン画面Ｇ１及び流量選択画面Ｇ２のうちの一方のみが表示される。それゆえ、流量増減用ボタン８２、８３と複数の流量選択用ボタン９１とが１つの画面に混在せず、煩雑な表示とならないため、視認性及び操作性がともに向上する。
【００８８】
以上のように、本実施形態では操作性及び視認性が格段に向上することから、ユーザビリティに優れた酸素濃縮装置１１を提供することができる。
【００８９】
（２）本実施形態の装置１１では、メイン画面Ｇ１には明るさ変更用ボタン８５が設けられ、明るさ変更用ボタン８５のタッチ操作によりディスプレイ１３の明るさが変更可能となっている。従って、この構成であると、使用者の意思に応じて画面の明るさを変更することができる。このことは、操作性及び視認性の向上にも寄与している。
【００９０】
（３）本実施形態の装置１１では、異常発生の直前におけるディスプレイ１３の明るさが「暗い」または「ふつう」である場合には、ディスプレイ１３の明るさが「明るい」に自動変更され、かついずれかのアラーム画面Ｇ６１〜Ｇ６４が表示されるように構成されている。従って、この構成であると、異常発生時には画面が自動的に直前の明るさよりも明るくなることから、異常の発生を使用者に対してより確実に気付かせることができる。その結果、異常に対して迅速に対応することが可能となる。
【００９１】
（４）本実施形態の装置１１では、使用者が対処可能な異常（例えば、上記の加湿器はずれ、チューブ折れ、稼働中の停電等）が発生した場合、アラーム画面Ｇ６１，Ｇ６２，Ｇ６３には、異常の内容及びその対処法がイラスト及び文字にて表示される。従って、この構成によると、使用者が異常の内容及び対処法を容易に把握することができる。そのため、メンテナンス業者に連絡を入れるまでもなく、使用者自身で正しく迅速に対処することが可能となる。また、メンテナンス業者においても、連絡回数の低減が期待できることから、メンテナンス作業に要する負担が減るという点でメリットがある。
【００９２】
（５）本実施形態の装置１１では、使用者が対処困難な異常（例えば、各種の装置異常）が発生した場合、アラーム画面Ｇ６４には、異常の内容及びその対処法がイラスト及び文字にて表示されるとともに、緊急連絡先が文字にて表示される。従って、この構成によると、所定の対処法を実行しても異常が解消されなかった場合には、速やかに緊急連絡先に連絡を入れて、メンテナンス業者に装置１１の復旧を依頼することができる。
【００９３】
（５）本実施形態の装置１１では、各々のアラーム画面Ｇ６１〜Ｇ６４には運転緊急終了用ボタン１３１が設けられている。そして運転緊急終了用ボタン１３１がタッチ操作された場合には、装置１１の運転が終了する。従って、この構成によると、異常発生時においては、使用者の意思により直ちに装置１１の運転を終了させることができる。
【００９４】
（６）本実施形態の装置１１では、アラーム画面として稼働中の停電発生を通知する停電用アラーム画面Ｇ６３が用意されるとともに、稼働中に停電が発生した場合には内部電源１９を用いて停電用アラーム画面Ｇ６３が表示されるように構成されている。従って、この構成によると、停電時であっても内部電源１９からの電力が供給されることから、停電発生を通知する停電用アラーム画面Ｇ６３を確実にディスプレイ１３に表示させることができる。なお、夜中に停電が発生したような場合には、手元が暗いため所定の対処法を実行することが困難になるが、上記構成であれば手元がいくぶん明るくなる。よって、使用者はその明かりを頼りにして所定の対処法（例えばコンセント接続の確認等）を実行することができる。
【００９５】
（７）本実施形態の装置１１では、メイン画面Ｇ１のほかにスクリーンセーブ画面Ｇ３１、Ｇ３２が用意され、長時間タッチ操作が行われない場合には、スクリーンセーブ画面Ｇ３１、Ｇ３２が交互に表示される。また、設定されているディスプレイ１３の明るさが「ふつう」または「明るい」ような場合には、ディスプレイ１３の明るさが「暗い」に自動変更されるように構成されている。従って、この構成によると、自動的にスクリーンセーブモードに移行してディスプレイ１３を暗くし、電気代を節約することができる。また、夜間においてディスプレイ１３が明るすぎて眠れない等といった事態も防ぐことができる。
【００９６】
（８）本実施形態の装置１１では、運転終了の意思を確認する終了確認画面Ｇ４が用意され、メイン画面Ｇ１に設けられた運転終了用ボタン８７がタッチ操作された場合には、ディスプレイ１３に終了確認画面Ｇ４を表示するように構成されている。従って、この構成によると、運転終了用ボタン８７がタッチ操作されたとき、直ちに装置１１が停止するわけではなく、終了確認画面Ｇ４が表示されて使用者の意思が再確認される。従って、使用者が終了用ボタン８７に誤って触れてしまったとしても、装置１１が勝手に停止することがなく、意図しない操作を未然にかつ確実に防ぐことができる。このことも操作性の向上に寄与している。
【００９７】
（９）本実施形態の装置１１では、メイン画面Ｇ１に設けられた画面ロック用ボタン８６がタッチ操作された場合、ディスプレイ１３にロック画面Ｇ５を表示するように構成されている。従って、この構成によると、特定のボタンに誤って触れたとしても、タッチ操作が不能になっていることから誤動作につながることがない。ゆえに、使用者の意図しない操作を未然に防ぐことができる。さらに、ロック画面Ｇ５には画面ロック解除用ボタン１２１が設けられおり、この画面ロック解除用ボタン１２１がタッチ操作された場合にはメイン画面Ｇ１が表示するように構成されている。従って、この構成によると、ロックが不要である場合には、使用者の意思によりロック画面Ｇ５を解除して通常時のメイン画面Ｇ１に復帰させることができる。
【００９８】
なお、本発明の実施の形態は、以下のように変更してもよい。
【００９９】
・上記実施形態の酸素濃縮装置１１では、異常発生時やスクリーンセーブモードの際に画面の明るさを変更する構成としたが、これに限定されず変更しない構成としてもよい。
【０１００】
・上記実施形態の酸素濃縮装置１１では、スクリーンセーブモードにおいて２種類のスクリーンセーブ画面Ｇ３１、Ｇ３２を交互に表示するようにしたが、３種類以上のスクリーンセーブ画面Ｇ３１、Ｇ３２を用意しておきそれらを順次変更して表示するようにしてもよい。また、動的なデザインを採用した場合であれば、スクリーンセーブ画面を１種類のみとすることも可能である。
【０１０１】
・上記実施形態の酸素濃縮装置１１では、アラーム画面Ｇ６１〜Ｇ６４を４種類としたが、これを細分化してさらに種類を増やしてもよい。また、異常発生時の警告として、スピーカを設けて音声で異常の内容や対処法を伝達するようにしてもよい。
【０１０２】
・上記実施形態の酸素濃縮装置１１では、画面の明るさを「暗い」、「ふつう」及び「明るい」の３段階に設定していたが、勿論これに限定されず、例えば２段階に設定してもよく、４段階以上に設定してもよい。
【符号の説明】
【０１０３】
１１…酸素濃縮装置
１３…表示器としてのタッチパネル付きディスプレイ
１９…内部電源
８１…流量表示部
８２，８３…流量増減用ボタン
８４…画面切換用ボタン
８５…明るさ変更用ボタン
８６…画面ロック用ボタン
８７…運転終了用ボタン
９１…流量選択用ボタン
１２１…画面ロック解除用ボタン
１３１…運転緊急終了用ボタン
Ｇ１…メイン画面
Ｇ２…流量選択画面
Ｇ３１、Ｇ３２…スクリーンセーブ画面
Ｇ４…終了確認画面
Ｇ５…ロック画面
Ｇ６１…アラーム画面
Ｇ６２…アラーム画面
Ｇ６３…アラーム画面としての停電用アラーム画面
Ｇ６４…アラーム画面
【図１】
2016127905.tif 000003
【図２】
2016127905.tif 000004
【図３】
2016127905.tif 000005
【図５】
2016127905.tif 000006
【図７】
2016127905.tif 000007
【図９】
2016127905.tif 000008
【図１１】
2016127905.tif 000009
【図１３】
2016127905.tif 000010
【図４】
2016127905.tif 000011
【図６】
2016127905.tif 000012
【図８】
2016127905.tif 000013
【図１０】
2016127905.tif 000014
【図１２】
2016127905.tif 000015
【図１４】
2016127905.tif 000016